(57)【要約】【課題】  カードリーダライタから排出された直後のリライトカードであったとしても、顧客の種類を問わず、直ちに顧客に渡すことができるようにする。【解決手段】  リライトカードに対して情報のリード及びライトを実行するカードリーダライタ１０１との間で信号を送受信し、リライトカードに対するライト完了後のカードリーダライタ１０１にカード排出命令を送信するに際して、遅延指定が実行されていた場合には、カードリーダライタ１０１からリライトカードを排出させるためのカード排出命令の送信を遅らせ、情報ライト後に高温になったリライトカードが充分に冷えてから排出されるようにした。【選択図】    図１
2007052468.tif 000002
【特許請求の範囲】
【請求項１】
商品販売データ処理を実行する商品販売データ処理装置において、
リライトカードに対して情報のリード及びライトを実行するカードリーダライタとの間で信号を送受信する手段と、
リライトカードに対するライト完了後の前記カードリーダライタに対して、カード排出命令を送信する手段と、
遅延指定を実行する手段と、
前記遅延指定が実行された場合、リライトカードに対するライト完了後の前記カードリーダライタに対して、前記カード排出命令の送信を遅らせる処理を実行する手段と、
を備えることを特徴とする商品販売データ処理装置。
【請求項２】
排出指定を実行する手段と、
前記排出指定が実行された場合、前記カード排出命令の送信を遅らせる処理に優先して前記カードリーダライタに対してカード排出命令を送信する手段と、
を備えることを特徴とする請求項１記載の商品販売データ処理装置。
【請求項３】
リライトカードに対して情報のリード及びライトを実行するカードリーダライタにおいて、
リライトカードをリードライト位置まで引き込む動作と排出する動作とを行なうカード搬送部と、
外部機器との間で信号を送受信する手段と、
遅延指定を実行する手段と、
前記遅延指定が実行された場合、リライトカードに対するライト完了後、前記カード搬送部を駆動制御して当該リライトカードの排出を遅らせる処理を実行する手段と、
を備えることを特徴とするカードリーダライタ。
【請求項４】
排出指定を実行する手段と、
前記排出指定が実行された場合、前記カードの排出を遅らせる処理に優先して前記カード搬送部にリライトカードの排出動作を実行させる手段と、
を備えることを特徴とする請求項５記載のカードリーダライタ。
【発明の詳細な説明】
【技術分野】
【０００１】
本発明は、カードリーダライタが接続される例えばＰＯＳ端末等の商品販売データ処理装置及びカードリーダライタに関する。
【背景技術】
【０００２】
リライトカードの普及に伴い、各種店舗において、リライトカードは、例えばポイントカードとして用いられる（特許文献１参照）。このようなリライトカードは、例えばサーマルプリンタヘッド等によって加える熱と空気冷却とによって情報を可視的に記録することが可能である。このようなリライトカードに対する情報の記録は、リライトカード用のカードリーダライタによって実現可能である。
【０００３】
【特許文献１】特開平１０−２４１０２１号公報
【発明の開示】
【発明が解決しようとする課題】
【０００４】
情報記録後のリライトカードは例えば７０度程度の高温になっている。このため、情報記録後のリライトカードをカードリーダライタから直ちに排出した場合、触ると熱い状態になっていることがある。このため、例えば幼児や子供など、指の皮膚が敏感な顧客に対しては、カードリーダライタから排出した直後のリライトカードを直ぐに渡すことは好ましくない。
【０００５】
その反面、相手が大人であるならば、カードリーダライタから排出された直後のリライトカードを直ぐに渡したとしても、とりたてて問題になることはない。したがって、相手が大人であれば、業務の迅速化の観点から、カードリーダライタから排出された直後のリライトカードを直ぐに渡した方が好ましい。
【０００６】
しかしながら、特に繁忙時などには、商品の購入に待機している顧客を速やかに処理したいというのが自然な要求である。しかも、このような気持ちは、金銭の授受やリライトカードの返却等が行われる接客の最終局面においてより一層沸き易い。このため、相手が幼児や子供などの場合であったとしても、カードリーダライタから排出された直後のリライトカードを直ぐに渡してしまいがちである。
【０００７】
本発明の目的は、カードリーダライタから排出された直後のリライトカードであったとしても、顧客の種類を問わず、直ちに顧客に渡すことができるようにすることである。
【課題を解決するための手段】
【０００８】
本発明は、商品販売データ処理を実行する商品販売データ処理装置において、リライトカードに対して情報のリード及びライトを実行するカードリーダライタとの間で信号を送受信する手段と、リライトカードに対するライト完了後の前記カードリーダライタに対して、カード排出命令を送信する手段と、遅延指定を実行する手段と、前記遅延指定が実行された場合、リライトカードに対するライト完了後の前記カードリーダライタに対して、前記カード排出命令の送信を遅らせる処理を実行する手段と、を備える。
【０００９】
本発明は、リライトカードに対して情報のリード及びライトを実行するカードリーダライタにおいて、リライトカードをリードライト位置まで引き込む動作と排出する動作とを行なうカード搬送部と、外部機器との間で信号を送受信する手段と、遅延指定を実行する手段と、前記遅延指定が実行された場合、リライトカードに対するライト完了後、前記カード搬送部を駆動制御して当該リライトカードの排出を遅らせる処理を実行する手段と、備える。
【発明の効果】
【００１０】
本発明によれば、予め遅延指定がなされていれば、カードリーダライタから排出された直後のリライトカードであったとしても、充分に冷めた状態にすることができ、したがって、顧客の種類を問わず、そのようなリライトカードを直ちに顧客に渡すことができる状態にすることができる。
【発明を実施するための最良の形態】
【００１１】
本発明の第１の実施の形態を図１ないし図８に基づいて説明する。本実施の形態は、リライトカードをポイントカードとして用いる一例を示す。
【００１２】
図１は、ＰＯＳ端末とカードリーダライトを示す斜視図である。カードリーダライタ１０１は、ポイントカードとなるリライトカードに対して情報のリードライトを実行する。このようなカードリーダライタ１０１は、ＰＯＳ端末１０２に接続されて使用される。したがって、ＰＯＳ端末１０２からの指示に基づいてカードリーダライタ１０１を動作させることができる。
【００１３】
ＰＯＳ端末１０２は、ドロワ１０３の上に載置されており、ドロワ１０３の引出し１０４の開放動作を制御することができる。ＰＯＳ端末１０２の上面右側にはキーボード１０５とオペレータ用表示器１０６とが配列され、上面左側にはＲ／Ｊプリンタ１０７が配列されている。ＰＯＳ端末１０２の上面後方には、客用表示器１０８が立設されている。ＰＯＳ端末１０２における商品コードの入力は、キーボード１０５によって可能であり、その他、図示しないバーコードリーダによっても可能である。
【００１４】
カードリーダライタ１０１は、その上面に操作部１０９を有している。正面にはリライトカードを挿入するためのカード挿入口１１０が配置されている。このようなカードリーダライタ１０１は、下ユニット１１１と上ユニット１１２とからなる上下二分割構造をなしており、上ユニット１１２に操作部１０９が設けられている。下ユニット１１１と上ユニット１１２とは、後方ヒンジ構造によって、カード挿入口１１０の箇所で開放自在であり、開放することによって例えばメンテナンスの容易化が図られる。また、カードリーダライタ１０１は、カード挿入口１１０にリライトカードが挿入されたことをカード挿入口１１０の近傍に配置されたカードセンサ１１３（図４参照）によって検知する。そして、カードリーダライタ１０１は、カードセンサ１１３によるカード検知に応じて挿入されたリライトカードを内部に引き込み、リードライト位置まで搬送し、リードライト後のリライトカードをカード挿入口１１０まで搬送して排出させるカード搬送部１１４（図４参照）を内蔵している。更に、リードライト位置には、リライトカードに対して情報のリードライトを実行するリードライトヘッド１１５（図４参照）が設けられている。
【００１５】
図２は、ＰＯＳ端末１０２のキーボード１０５を例示する平面図である。キーボード１０５には、その右上に、リライトカードの排出を遅延させるための遅延キーとしての子供キー１１６と排出キー１１７とが割り当てられている。
【００１６】
図３は、ＰＯＳ端末１０２のハードウェア構成を示すブロック図である。ＰＯＳ端末１０２は、各種演算処理を実行し各部を制御するＣＰＵ１４１を備えている。ＣＰＵ１４１には、固定データを固定的に記憶保存するＲＯＭ１４２と、可変データを書き換え自在に記憶してワークエリアとして使用されるＲＡＭ１４３と、ＨＤＤ１４４とがバスライン１４５を介して接続されている。ＨＤＤ１４４は、各種のプログラムを記憶する。これらのプログラムは、ＰＯＳ端末１０２の起動時、その全部又は一部がＲＡＭ１４３にコピーされる。ＣＰＵ１４１は、ＲＡＭ１４３にコピーされたプログラムに従った処理を実行する。
【００１７】
前述したドロワ１０３、キーボード１０５、オペレータ用表示器１０６、ＲＪプリンタ１０７、客用表示器１０８は、いずれも各種の入出力回路（全て図示せず）とバスライン１４５とを介してＣＰＵ１４１に接続され、ＣＰＵ１４１によって動作制御される。
【００１８】
ＰＯＳ端末１０２は、カードリーダライタ１０１との間で信号を送受信するためのインターフェース１４６と、ＰＯＳ端末１０２が設置される店舗に設けられる構内回線網（図示せず）等に接続するための通信インターフェース１４７とを備えており、これらのインターフェース１４６及び通信インターフェース１４７も、バスライン１４５を介してＣＰＵ１４１に接続されている。ＰＯＳ端末１０２は、インターフェース１４６を用いてカードリーダライタ１０１との間で信号を送受信するための通信用プログラムを例えばＲＯＭ１４２に記憶保存している。
【００１９】
図４は、カードリーダライタ１０１のハードウェア構成を示すブロック図である。カードリーダライタ１０１は、各種演算処理を実行し各部を制御するＣＰＵ１６１を備えている。ＣＰＵ１６１には、固定データを固定的に記憶保存するＲＯＭ１６２と、可変データを書き換え自在に記憶してワークエリアとして使用されるＲＡＭ１６３とがバスライン１６４を介して接続されている。一例として、カードリーダライタ１０１は、ＲＯＭ１４２に各種のプログラムをファームウェアとして記憶保存している。
【００２０】
前述した操作部１０９、カードセンサ１１３、カード搬送部１１４、リードライトヘッド１１５は、いずれも各種の入出力回路（全て図示せず）とバスライン１６４とを介してＣＰＵ１６１に接続され、ＣＰＵ１６１によって動作制御される。
【００２１】
カードリーダライタ１０１は、は、ＰＯＳ端末１０２との間で信号を送受信するためのインターフェース１６５を備えており、このインターフェース１６５も、バスライン１６４を介してＣＰＵ１６１に接続されている。カードリーダライタ１０１は、インターフェース１６５を用いて外部機器としてのＰＯＳ端末１０２との間で信号を送受信するための通信用プログラムを例えばＲＯＭ１６２に記憶保存している。
【００２２】
図５は、ＰＯＳ端末１０２での商品販売データ処理の一例を示すフローチャートである。まず、商品の登録業務においては、顧客が購入しようとする商品の商品コードを読み取るのに先立ち、ポイントカードの提示を求める。したがって、顧客がポイントカードの使用を望む場合には、ポイントカードであるリライトカードをカードリーダライタ１０１に挿入することから一取引の登録業務が始まる。
【００２３】
カードリーダライタ１０１は、カードセンサ１１３によってカード検知をした場合（図６のステップＳ１４１のＹ）、カードセット信号をＰＯＳ端末１０２に送信する（図６のステップＳ１４３）ので、ＰＯＳ端末１０２では、カードセット信号の受信に待機している（ステップＳ１０１）。カードセット信号の受信を判定したら（ステップＳ１０１のＹ）、ＰＯＳ端末１０２のメモリ資源であるＲＡＭ１４３のワークエリアを利用し、カードセットメモリを０から１に設定する。このカードセットメモリの「１」は、後々の処理で、カードリーダライタ１０１との間で信号を送受信すべきことを規定している。
【００２４】
ＰＯＳ端末１０２では、商品コードの読み取りがあれば（ステップＳ１０３のＹ）、ＲＡＭ１４３のワークエリアを利用して仮登録処理を実行し（ステップＳ１０４）、預／現計キーの押下を判定したら（ステップＳ１０５のＹ）、カードセットメモリの状態判定（ステップＳ１０６）の後に登録処理を実行し（ステップＳ１０７）、一取引を終了する。この際、カードセットメモリが「１」であった場合、ＰＯＳ端末１０２は、取引に伴い生じたポイント計算をしてポイントデータを生成し、生成したポイントデータをカードリーダライタ１０１に送信する（ステップＳ１０８）。そして、カードリーダライタ１０１との間で一連の信号送受信処理を実行する。この信号送受信処理の理解は、カードリーダライタ１０１での処理内容の理解を前提とするため、ここで、図６を参照してカードリーダライタ１０１での処理を説明する。
【００２５】
図６は、カードリーダライタ１０１での情報のリードライト動作を示すフローチャートである。カードリーダライタ１０１では、前述したように、カードセンサ１１３でのカード検知を実行する（ステップＳ１４１）。その結果、カードセンサ１１３がリライトカードの検出信号を出力してＣＰＵ１６１がカード検知を判定すると（ステップＳ１４１のＹ）、カード搬送部１１４を用いたカードローディグ処理を実行してカード挿入口１１０に挿入されたポイントカードであるリライトカードを内部に引き込む（ステップＳ１４２）。そして、ＰＯＳ端末１０２に向けてカードセット信号を送信し（ステップＳ１４３）、ポイントデータの受信に待機する（ステップＳ１４４）。そして、ポイントデータの受信を判定したら（ステップＳ１４４のＹ）、リードライトヘッド１１５を駆動制御し、ポイントカードであるリライトカードに対するリードライト動作を実行する（ステップＳ１４５）。つまり、受信したポイントデータに基づいてポイントをポイントカードにライトする。その後、リードライト動作を完了したら、ＰＯＳ端末１０２に向けてライト完了信号を送信する（ステップＳ１４６）。そして、ＰＯＳ端末１０２からのカード排出命令の受信に待機し（ステップＳ１４７）、カード排出命令を受信したら（ステップＳ１４７のＹ）、カード搬送部１１４を駆動制御してカード排出処理を実行する（ステップＳ１４８）。
【００２６】
図７は、ＰＯＳ端末１０２において子供キー１１６が押下された場合の処理を示すフローチャートである。ＰＯＳ端末１０２は、子供キー１１６の押下を認識したら（ステップＳ１２１のＹ）、ＲＡＭ１４３のワークエリアを利用し、子供メモリを０から１に設定する。つまり、遅延指定を実行する。
【００２７】
図８は、ＰＯＳ端末１０２において排出キー１１７が押下された場合の処理を示すフローチャートである。ＰＯＳ端末１０２は、排出キー１１７の押下を認識したら（ステップＳ１３１のＹ）、ＲＡＭ１４３のワークエリアを利用し、排出メモリを０から１に設定する。つまり、排出指定を実行する。
【００２８】
ここで、ＰＯＳ端末１０２において実行される図５のフローチャートの説明に戻る。ＰＯＳ端末１０２は、生成したポイントデータをカードリーダライタ１０１に送信した後、カードリーダライタ１０１からのライト完了信号（図６のステップＳ１４６）の受信に待機する（ステップＳ１０９）。そこで、ライト完了信号の受信を判定したら（ステップＳ１０９のＹ）、子供メモリが「１」になっているかどうかをもって、子供キー１１６が押下されたかどうかを判定する（ステップＳ１１０）。子供メモリが「１」になっていると判定した場合（ステップＳ１１０のＹ）、排出待ち時間１０秒経過を待ち（ステップＳ１１１）、カード排出命令をカードリーダライタ１０１に送信する（ステップＳ１１２）。カードリーダライタ１０１では、カード排出命令の受信をもってカード排出処理を実行することは、前述したとおりである（図６のステップＳ１４７、ステップＳ１４８）。したがって、ステップＳ１１１での「１０秒」という時間は、子供キー１１６が押下された場合には、カードリーダライタ１０１においてリライトカードに対するライト動作が完了したとしても、１０秒間はその排出を待ちなさい、ということを意味している。この様な事情からして、「１０秒」というのは、ライト後のリライトカードの７０度程度という温度が低下する時間を想定しているわけであるので、実情に合わせて、より短い時間としてもより長い時間としても良い。
【００２９】
このように、本実施の形態によれば、予め子供キー１１６が押下なされていれば、カードリーダライタから排出された直後のリライトカードであったとしても、充分に冷めた状態にすることができる。したがって、顧客の種類を問わず、排出直後のリライトカードを直ちに顧客に渡すことができる状態にすることができる。
【００３０】
これに対して、ステップＳ１１１の処理で排出待ち時間１０秒経過が判定されない場合であっても、排出メモリが「１」になっているかどうかをもって排出キー１１７が押下されたかどうかを判定し（ステップＳ１１３）、排出メモリが「１」になっていると判定した場合には（ステップＳ１１３のＹ）、排出待ち時間１０秒の経過を待つことなくカード排出命令をカードリーダライタ１０１に送信する（ステップＳ１１２）。つまり、排出指定が実行された場合には、カード排出命令の送信を遅らせる処理に優先してカードリーダライタ１０１に対してカード排出命令を送信するわけである。このような処理の実益としては、例えば、顧客が子供と判断した場合に画一的に子供キー１１６を押下することをオペレータに許容する。その後、オペレータの判断で、子供とはいっても年齢が高そうな顧客や、あるいは屈強そうな男の子が顧客であるような場合には、排出キー１１７を押下することによって、排出待ち時間１０秒という意外にも長い待ち時間の経過を省略することができるわけである。
【００３１】
ここで、子供キー１１６及び排出キー１１７の押下タイミングについて説明する。子供キー１１６の押下に伴い図７に示す子供メモリの設定処理が実行されるのは、一例として、前の顧客の取引処理においてステップＳ１１４のメモリクリア処理を実行した後、現在応対中の顧客についてステップＳ１０９でライト完了信号の受信を判定するまでである。したがって、カードリーダライタ１０１にリライトカードを挿入する操作に先立った子供キー１１６の押下が有効となる。また、排出キー１１７の押下に伴い図８に示す排出メモリの設定処理が実行されるのは、一例として、図７に示す処理で子供メモリが「１」に設定された後、ステップＳ１１１で排出待ち時間１０秒経過が判定されるまでである。したがって、オペレータは、子供キー１１６を押下した後、カードリーダライタ１０１からリライトカードが排出されるまでの間、いつでも排出キー１１７を押下して直ちにリライトカードを排出させることができる。
【００３２】
カード排出命令をカードリーダライタ１０１に送信したＰＯＳ端末１０２では、カードセットメモリ、子供メモリ、排出メモリ等をメモリクリアし（ステップＳ１１４）、処理を終了する。
【００３３】
本発明の第２の実施の形態を図９ないし図１２に基づいて説明する。第１の実施の形態と同一部分は同一符号で示し、説明も省略する。第２の実施の形態が第１の実施の形態と相違するのは、主に、子供キー１１６が押下された場合にリライトカードの排出を遅らせる処理を、ＰＯＳ端末１０２ではなしにカードリーダライタ１０１で実行する点である。以下、第２の実施の形態の処理内容を説明する。
【００３４】
図９は、ＰＯＳ端末１０２での商品販売データ処理の一例を示すフローチャートである。ＰＯＳ端末１０２では、カードセット信号の受信に待機している（ステップＳ２０１）。カードセット信号の受信を判定したら（ステップＳ２０１のＹ）、ＰＯＳ端末１０２のメモリ資源であるＲＡＭ１４３のワークエリアを利用し、カードセットメモリを０から１に設定する。このカードセットメモリの「１」は、後々の処理で、カードリーダライタ１０１との間で信号を送受信すべきことを規定している。
【００３５】
ＰＯＳ端末１０２では、商品コードの読み取りがあれば（ステップＳ２０３のＹ）、ＲＡＭ１４３のワークエリアを利用して仮登録処理を実行し（ステップＳ２０４）、預／現計キーの押下を判定したら（ステップＳ２０５のＹ）、カードセットメモリの状態判定（ステップＳ２０６）の後に登録処理を実行し（ステップＳ２０７）、一取引を終了する。この際、カードセットメモリが「１」であった場合、ＰＯＳ端末１０２は、取引に伴い生じたポイント計算をしてポイントデータを生成し、生成したポイントデータをカードリーダライタ１０１に送信する（ステップＳ２０８）。そして、カードセットメモリ等をメモリクリアし（ステップＳ２０９）、処理を終了する。
【００３６】
図１０は、ＰＯＳ端末１０２において子供キー１１６が押下された場合にＰＯＳ端末１０２とカードリーダライタ１０１とで実行される処理を示すフローチャートである。ＰＯＳ端末１０２は、子供キー１１６の押下を認識したら（ステップＳ２２１のＹ）、子供キー押下信号をカードリーダライタ１０１に送信する（ステップＳ２２２）。カードリーダライタ１０１は、ＰＯＳ端末１０２からの子供キー押下信号を受信したら（ステップＳ２２３のＹ）、ＲＡＭ１６３のワークエリアを利用し、子供メモリを０から１に設定する。つまり、遅延指定を実行する。
【００３７】
図１１は、ＰＯＳ端末１０２において排出キー１１７が押下された場合にＰＯＳ端末１０２とカードリーダライタ１０１とで実行される処理を示すフローチャートである。ＰＯＳ端末１０２は、排出キー１１７の押下を認識したら（ステップＳ２３１のＹ）、排出キー押下信号をカードリーダライタ１０１に送信する（ステップＳ２３２）。カードリーダライタ１０１は、ＰＯＳ端末１０２からの排出キー押下信号を受信したら（ステップＳ２３３のＹ）、ＲＡＭ１６３のワークエリアを利用し、排出メモリを０から１に設定する。つまり、排出指定を実行する。
【００３８】
図１２は、カードリーダライタ１０１での情報のリードライト動作を示すフローチャートである。カードリーダライタ１０１では、カードセンサ１１３でのカード検知を実行する（ステップＳ２４１）。その結果、カードセンサ１１３がリライトカードの検出信号を出力してＣＰＵ１６１がカード検知を判定すると（ステップＳ２４１のＹ）、カード搬送部１１４を用いたカードローディグ処理を実行してカード挿入口１１０に挿入されたポイントカードであるリライトカードを内部に引き込む（ステップＳ２４２）。そして、ＰＯＳ端末１０２に向けてカードセット信号を送信し（ステップＳ２４３）、ポイントデータの受信に待機する（ステップＳ２４４）。そして、ポイントデータの受信を判定したら（ステップＳ２４４のＹ）、リードライトヘッド１１５を駆動制御し、ポイントカードであるリライトカードに対するリードライト動作を実行する（ステップＳ２４５）。つまり、受信したポイントデータに基づいてポイントをポイントカードにライトする。その後、リードライト動作を完了したら、子供メモリが「１」になっているかどうかをもって、子供キー１１６が押下されたかどうかを判定する（ステップＳ２４６）。子供メモリが「１」になっていると判定した場合（ステップＳ２４６のＹ）、排出待ち時間１０秒経過を待ち（ステップＳ２４７）、メモリクリアをし（ステップＳ２４８）、カード搬送部１１４を駆動制御してカード排出処理を実行する（ステップＳ２４９）。ステップＳ２４７での「１０秒」という時間は、第１の実施の形態でも述べたように、子供キー１１６が押下された場合には、カードリーダライタ１０１においてリライトカードに対するライト動作が完了したとしても、１０秒間はその排出を待ちなさい、ということを意味している。この様な事情からして、「１０秒」というのは、ライト後のリライトカードの７０度程度という温度が低下する時間を想定しているわけであるので、実情に合わせて、より短い時間としてもより長い時間としても良い。
【００３９】
これに対して、ステップＳ２４７の処理で排出待ち時間１０秒経過が判定されない場合であっても、排出メモリが「１」になっているかどうかをもって排出キー１１７が押下されたかどうかを判定し（ステップＳ２５０）、排出メモリが「１」になっていると判定した場合には（ステップＳ２５０のＹ）、排出待ち時間１０秒の経過を待つことなく、メモリクリアをし（ステップＳ２４８）、カード搬送部１１４を駆動制御してカード排出処理を実行する（ステップＳ２４９）。つまり、排出指定が実行された場合には、カード排出命令の送信を遅らせる処理に優先してカードリーダライタ１０１に対してカード排出命令を送信するわけである。このような処理の実益としては、第１の実施の形態でも述べたように、例えば、顧客が子供と判断した場合に画一的に子供キー１１６を押下することをオペレータに許容する。その後、オペレータの判断で、子供とはいっても年齢が高そうな顧客や、あるいは屈強そうな男の子が顧客であるような場合には、排出キー１１７を押下することによって、排出待ち時間１０秒という意外にも長い待ち時間の経過を省略することができるわけである。
【００４０】
ここで、子供キー１１６及び排出キー１１７の押下タイミングについて説明する。ＰＯＳ端末１０２では、子供キー１１６の押下に伴い、時間を限ることなく、図１０に示す子供キー押下信号の送信処理（ステップＳ２２２）を実行する。また、排出キー１１７の押下に伴い、時間を限ることなく、図１１に示す排出キー押下信号の送信処理（ステップＳ２３２）を実行する。これに対して、カードリーダライタ１０１において図１０に示す子供メモリの設定処理が実行されるのは、一例として、前の顧客の取引処理においてステップＳ２４９のカード排出処理を実行した後、現在応対中の顧客についてステップＳ２４５のライト動作が完了するまでである。したがって、カードリーダライタ１０１にリライトカードを挿入する操作に先立った子供キー１１６の押下が有効となる。また、カードリーダライタ１０１において図１１に示す排出メモリの設定処理が実行されるのは、一例として、図１０に示す処理で子供メモリが「１」に設定された後、ステップＳ２４７で排出待ち時間１０秒経過が判定されるまでである。したがって、オペレータは、子供キー１１６を押下した後、カードリーダライタ１０１からリライトカードが排出されるまでの間、いつでも排出キー１１７を押下して直ちにリライトカードを排出させることができる。
【００４１】
本発明の第３の実施の形態を図１３及び図１４に基づいて説明する。第２の実施の形態と同一部分は同一符号で示し、説明も省略する。本実施の形態では、子供キー１１６に相当する子供キー及び排出キー１１７に相当する排出キーが、カードリーダライタ１０１の操作部１０９に設けられている。この点が、第２の実施の形態との相違点である。以下、第３の実施の形態の処理内容を説明する。
【００４２】
図１３は、カードリーダライタ１０１において子供キーが押下された場合の処理を示すフローチャートである。カードリーダライタ１０１は、子供キーの押下を認識したら（ステップＳ２５１のＹ）、ＲＡＭ１６３のワークエリアを利用し、子供メモリを０から１に設定する。つまり、遅延指定を実行する。
【００４３】
図１４は、カードリーダライタ１０１において排出キーが押下された場合の処理を示すフローチャートである。カードリーダライタ１０１は、排出キーの押下を認識したら（ステップＳ２６１のＹ）、ＲＡＭ１６３のワークエリアを利用し、排出メモリを０から１に設定する。つまり、排出指定を実行する。
【００４４】
その他の処理内容については、第２の実施の形態と相違する点はないため、説明を省略する。重要なことは、本実施の形態では、カードリーダライタ１０１での操作により、遅延指定と排出指定とを共に実行することができる点である。つまり、第２の実施の形態では、ＰＯＳ端末１０２からの遅延指定信号、排出指定信号の受信に応じてカードリーダライタ１０１での遅延指定、排出指定が実行されていたのに対して、本実施の形態では、操作部１０９での操作入力に応じてカードリーダライタ１０１での遅延指定、排出指定が実行される点である。
【図面の簡単な説明】
【００４５】
【図１】本発明の第１の実施の形態として、ＰＯＳ端末とカードリーダライトを示す斜視図である。
【図２】ＰＯＳ端末のキーボードを例示する平面図である。
【図３】ＰＯＳ端末のハードウェア構成を示すブロック図である。
【図４】カードリーダライタのハードウェア構成を示すブロック図である。
【図５】ＰＯＳ端末での商品販売データ処理の一例を示すフローチャートである。
【図６】カードリーダライタでの情報のリードライト動作を示すフローチャートである。
【図７】ＰＯＳ端末において子供キーが押下された場合の処理を示すフローチャートである。
【図８】ＰＯＳ端末において排出キーが押下された場合の処理を示すフローチャートである。
【図９】本発明の第２の実施の形態として、ＰＯＳ端末での商品販売データ処理の一例を示すフローチャートである。
【図１０】ＰＯＳ端末において子供キーが押下された場合にＰＯＳ端末とカードリーダライタとで実行される処理を示すフローチャートである。
【図１１】ＰＯＳ端末において排出キーが押下された場合にＰＯＳ端末とカードリーダライタとで実行される処理を示すフローチャートである。
【図１２】カードリーダライタでの情報のリードライト動作を示すフローチャートである。
【図１３】本発明の第３の実施の形態として、カードリーダライタにおいて子供キーが押下された場合の処理を示すフローチャートである。
【図１４】カードリーダライタにおいて排出キーが押下された場合の処理を示すフローチャートである。
【符号の説明】
【００４６】
１０１…カードリーダライタ、１０２…ＰＯＳ端末（商品販売データ処理装置）、１１４…カード搬送部
【図１】
2007052468.tif 000003
【図２】
2007052468.tif 000004
【図３】
2007052468.tif 000005
【図４】
2007052468.tif 000006
【図５】
2007052468.tif 000007
【図６】
2007052468.tif 000008
【図７】
2007052468.tif 000009
【図８】
2007052468.tif 000010
【図９】
2007052468.tif 000011
【図１０】
2007052468.tif 000012
【図１１】
2007052468.tif 000013
【図１２】
2007052468.tif 000014
【図１３】
2007052468.tif 000015
【図１４】
2007052468.tif 000016